(57)【特許請求の範囲】
【請求項１】
部品のキットから組立てられる丸みを帯びた光ファイバオーガナイザ（１９、３５）と、光ファイバオーガナイザ（１９、３５）を収容するケーシング（２１、１４１、１４３）とを備える光ファイバケーブルクロージャ（１３９）において、
キットが、
以下の異なるモジュールである
（i）少なくとも１個の光ファイバ収納手段（７）を支持するサポートプレート（１、２７）を備える収納モジュール（２５）と、
（ii）少なくとも１個の光ファイバブレイクアウト手段を支持するサポートプレート（２７）を備えるブレイクアウトモジュール（４０）と、
（iii）間を光ファイバが案内される複数の突起（３９）を支持するサポートプレート（２７）を備えるガイドモジュール（３７、１４５）と
から選択された少なくとも２個の異なるモジュールを備え、更に、サポートフレーム（２３）をキットに設け、該サポートフレーム（２３）が、少なくとも２個の細長い離隔部品（３１）と、離隔部品（３１）の間を延在する少なくとも１個の細長い横断部材（３３）とを備えると共に、サポートプレート（２７）が離隔部品（３１）の間の間隙を大略またぐように、各モジュールが離隔部品（３１）に止着される一方、光ファイバブレイクアウト手段が、複数の光ファイバを支承する第１管を保持する第１通路と、第１管から延在する少なくとも１本の光ファイバを各々が支承する複数の第２管を保持する複数の第２通路とを含み、且つ、各モジュール、好ましくはそのサポートプレート（２７）が、他のモジュールと独立してサポートプレート（２７）をサポートフレーム（２３、１１１）に止着するための１個以上の止着装置（２９）を備え、更に、光ファイバ収納手段（７）をサポートプレート（２７）の平面に対して傾斜させ、且つ、ケーシングが、ケーブルポート（１４７）を含むケーシングベース（２１、１４１）と、ケーシングベースに止着自在の大体ドーム状のカバー（１４３）とを備え、更に、光ファイバオーガナイザ（１９、３５）がカバー（１４３）に収納可能である光ファイバケーブルクロージャ（１３９）。
【請求項２】
各止着装置（２９）がサポートフレーム（２３、１１１）とインターロック自在である請求項１に記載の光ファイバケーブルクロージャ（１３９）。
【請求項３】
光ファイバ収納手段がトレイ（７）を備える請求項１又は２に記載の光ファイバケーブルクロージャ（１３９）。
【請求項４】
光ファイバ収納トレイ（７）が、光ファイバ収納トレイ（７）を支持するサポートプレート（２７）にヒンジ付けされた請求項３に記載の光ファイバケーブルクロージャ（１３９）。
【発明の詳細な説明】
【０００１】
（技術分野）
本発明は、例えば、光ファイバケーブルスプライスクロージャにおける光ファイバの編成に関する。
【０００２】
（背景技術）
光ファイバオーガナイザの多くの設計が知られている。例えば、ＷＯ９５／０７４８０（レイケム）は、光ファイバオーガナイザ用のベースを開示し、そのベースは、引込ファイバ用の一方の長手縁部に沿う第１通路と、引出ファイバ用の反対側の長手縁部に沿う第２通路と、ベースの長さに沿って互いに分離されていると共に第１通路からベースを横切って第２通路に向けて延在する複数の第１ファイバガイドと、ベースの長さに沿って互いに分離されていると共に第２通路からベースを横切って第１通路に向けて延在する複数の第２ファイバガイドとを備え、更に、第１ファイバガイドにおけるファイバがベースの平面から離れるように指向される一方、第２ファイバガイドにおけるファイバがベースの平面から離れるように指向される。
【０００３】
ＷＯ９５／０７４７５（ブリティッシュテレコム）は、積重ねて配置された複数のスプライストレイを備える光ファイバ管理システムを開示する。各スプライスは、少なくとも１個のスプライスを保持するためとスプライスに達するファイバを収納するための本体部と、本体部に／からファイバを送るファイバ入口／出口部とを有する。各トレイは、積重ねて装着されて、各トレイが他のトレイと心合せされた積重ね位置から、ファイバ入口／出口部及び本体部を夫々アクセスし得る第１及び第２操作位置に移動自在である。
【０００４】
ＷＯ９５／２５９７８（レイケム）は、フレームと、フレームに設けられた少なくとも２個の光ファイバスプライスオーガナイザサポートとを備えて、各オーガナイザサポートがオーガナイザの積重ねを支持するように構成された、光ファイバスプライスオーガナイザの複数の積重ねをクロージャ内に配置する装置を開示する。フレームは細長くてもよく、又、各オーガナイザサポートは、フレームに対して側方に延在するオーガナイザの積重ねを支持してもよい。オーガナイザサポートは、１個以上の対にして、各対のサポートを近接して配置してもよい。
【０００５】
（発明の開示）
（課題を解決するための手段）
本発明は、部品のキットから組立てられる丸みを帯びた光ファイバオーガナイザと、光ファイバオーガナイザを収容するケーシングとを備える光ファイバケーブルクロージャにおいて、
キットが、
以下の異なるモジュールである
（i）少なくとも１個の光ファイバ収納手段を支持するサポートプレートを備える収納モジュールと、
（ii）少なくとも１個の光ファイバブレイクアウト手段を支持するサポートプレートを備えるブレイクアウトモジュールと、
（iii）間を光ファイバが案内される複数の突起を支持するサポートプレートを備えるガイドモジュールと
から選択された少なくとも２個の異なるモジュールを備え、更に、サポートフレームをキットに設け、該サポートフレームが、少なくとも２個の細長い離隔部品と、離隔部品の間を延在する少なくとも１個の細長い横断部材とを備えると共に、サポートプレートが離隔部品の間の間隙を大略またぐように、各モジュールが離隔部品に止着される一方、光ファイバブレイクアウト手段が、複数の光ファイバを支承する第１管を保持する第１通路と、第１管から延在する少なくとも１本の光ファイバを各々が支承する複数の第２管を保持する複数の第２通路とを含み、且つ、各モジュール、好ましくはそのサポートプレートが、他のモジュールと独立してサポートプレートをサポートフレームに止着するための１個以上の止着装置を備え、更に、光ファイバ収納手段をサポートプレートの平面に対して傾斜させ、且つ、ケーシングが、ケーブルポートを含むケーシングベースと、ケーシングベースに止着自在の大体ドーム状のカバーとを備え、更に、光ファイバオーガナイザがカバーに収納可能である光ファイバケーブルクロージャを提供する。
【０００６】
第１の形態によれば、光ファイバオーガナイザを形成する部品のキットにおいて、以下の異なるモジュールである
（i）少なくとも１個の光ファイバ収納手段を支持するサポートプレートを備える収納モジュールと、
（ii）少なくとも１個の光ファイバブレイクアウト手段を支持するサポートプレートを備えるブレイクアウトモジュールと、
（iii）間を光ファイバが案内される複数の突起を支持するサポートプレートを備えるガイドモジュールと
から選択された少なくとも２個の異なるモジュールを備え、更に、それらのサポートプレートが、並置されて、より大きなサポートプレートを共に形成するように、各モジュールが他のモジュールの各々に直接的に又は間接的に止着自在であるキットを提供する。
好ましくは、キットは、各モジュールが止着されるサポートを更に備える。各モジュールをサポートに止着することによって、各モジュールが他のモジュールの各々に間接的に止着される。
【０００７】
第２の形態によれば、光ファイバオーガナイザを形成する部品のキットにおいて、
（ａ）サポートと、
（ｂ）以下の異なるモジュールである（i）少なくとも１個の光ファイバ収納手段を支持するサポートプレートを備える収納モジュールと、（ii）少なくとも１個の光ファイバブレイクアウト手段を支持するサポートプレートを備えるブレイクアウトモジュールと、（iii）間を光ファイバが案内される複数の突起を支持するサポートプレートを備えるガイドモジュールとから選択された少なくとも２個の異なるモジュールと
を備え、更に、それらのサポートプレートがより大きなサポートプレートを形成するように、モジュールがサポートに並んで止着自在であるキットを提供する。
好ましくは、サポートがフレームを備える。それに加えて又はその代りに、サポートが複数の連結部品を備える。
好ましくは、各光ファイバ収納手段がトレイを備える。「光ファイバ収納トレイ」は、２個の主面を通常有して、光ファイバの長さを収納すると共に、好ましくは、１個以上のスプライス、スプリッタ、コネクタ又は光ファイバと連係する他の光学又は光電子装置も収納する概して平坦な光ファイバ収納手段を意味する。「概して平坦」は、通常、トレイの２個の寸法がトレイの第３の寸法よりかなり大きいことを意味する。更に、トレイは大略一様な厚さを有する必要がない。光ファイバ収納トレーは時々「カセット」と呼ばれる。トレイの主面は、（例えば、穴を有したり、メッシュやフレームから成るように）不連続であってもよく、これは、又、「面」がトレイの縁部に存在するだけの可能性も含む。各光ファイバ収納トレイが、それを支持するサポートプレートにヒンジ付けされることが好都合である。好ましくは、各光ファイバ収納モジュールが複数の光ファイバ収納トレイを備える。
【０００８】
第３の形態によれば、光ファイバオーガナイザを形成する部品のキットにおいて、
（ａ）サポートフレームと、
（ｂ）以下の（i）複数のヒンジ式光ファイバ収納トレイと、（ii）少なくとも１個の光ファイバブレイクアウト手段と、（iii）少なくとも１個の光ファイバガイド手段の内の少なくとも１個を支持するサポートプレートを各々が備える複数のモジュールと
を備え、更に、それらのサポートプレートがより大きなサポートプレートを共に形成するように、モジュールがサポートフレームに並んで止着自在であるキットを提供する。
本発明の好ましい実施形態において、サポートフレームが、各モジュールが止着される離隔配置された少なくとも２個の部品を備え、更に、サポートプレートが、離隔配置された部品の間の間隙を大略またぐ。好ましくは、離隔配置された部品の各々が細長い形状を有する。サポートフレームが、更に、２個の細長い部品の間を延在する少なくとも１個の細長い横断部材を備えることが好都合である。
各モジュール、好ましくはそのモジュールのサポートプレートが、それをサポートに止着するための１個以上の止着装置を備えることが好ましい。好ましくは、各止着装置がサポートとインターロック自在である
好ましくは、各収納モジュールが、光ファイバをその限界屈曲半径より小さく屈曲させることなく、光ファイバの少なくとも１個のループを収納し得る。例えば、収納モジュールが１個以上の光ファイバ収納トレイを備える実施形態において、各トレイは、光ファイバの少なくとも１個のループを収納することが好ましい。収納トレイ又は他の収納手段は又、光ファイバスプライス、スプリッタ又は他の受動又は能動装置を収納してもよい。
好ましくは、光ファイバブレイクアウト手段が、複数の光ファイバを支承する第１管を係止する第１通路と、第１管から延在する少なくとも１本の光ファイバを各々が支承する複数の第２管を係止する複数の第２通路とを備える。光ファイバブレイクアウトモジュールが複数の光ファイバブレイクアウト手段を備えることが好ましい。
【０００９】
第４の形態によれば、光ファイバオーガナイザを形成する部品のキットにおいて、
（ａ）１個以上の光ファイバ収納トレイと、
（ｂ）光ファイバ収納トレイが直接的又は間接的に止着されると共に、少なくとも１本の光ファイバの長さの少なくとも一部を案内する１個以上の光ファイバガイドを備え、更に、上記長さは、使用時にオーガナイザの外部と収納トレイの間を延在する少なくとも１個の光ファイバガイド部材と、
（ｃ）複数の光ファイバガイド部材が直接的又は間接的に止着されると共に、フレームから成るベースと
を備えるキットを提供する。
【００１０】
第５の形態によれば、光ファイバオーガナイザを形成する部品のキットにおいて、
（ａ）少なくとも２個の光ファイバ収納トレイと、
（ｂ）各々に少なくとも１個の光ファイバ収納トレイが直接的又は間接的に止着されると共に、各々が少なくとも１本の光ファイバの長さの少なくとも一部を案内する１個以上の光ファイバガイドを備え、更に、上記長さは、使用時にオーガナイザの外部と収納トレイの間を延在する少なくとも２個の光ファイバガイド部材と
を備え、更に、少なくとも２個の光ファイバガイド部材が互いに直接的に連結されているキットを提供する。
好ましくは、本発明の第５の形態の光ファイバガイド部材が、自立状態で互いに直接的に連結される。その代りに、キットは、更に、ベース、例えば、ガイド部材が直接的に又は間接的に止着されるフレームを備えてもよい。好ましくは、ガイド部材は、インターロック部品及び／又は締結装置、例えば、ねじ、ボルト等によって連結自在である。
本明細書において、（本発明のキット及びオーガナイザに関して使用されている時の）用語「サポート」と「ベース」は交換自在である。
【００１１】
第６の形態によれば、本発明の他の形態のいずれのキットから組立てた光ファイバオーガナイザを提供する。
【００１２】
第７の形態によれば、ケーシングと、ケーシング内に収容される本発明の第６の形態の光ファイバオーガナイザとを備えるクロージャを提供する。クロージャは、例えば、ケーブルスプライスクロージャ、キャビネット又は配送フレームのモジュールでもよい。
【００１３】
第８の形態によれば、光ファイバケーブルクロージャを形成する部品のキットにおいて、本発明の第１乃至第５の形態のいずれかのキットと、光ファイバオーガナイザを収容するケーシングとを備えるキットを提供する。好ましくは、（本発明の第７及び第８の形態の）ケーシングが、ケーブルポートを含むケーシングベースと、ケーシングベースに止着自在の概してドーム状のカバーとを備え、更に、光ファイバオーガナイザがケーシングベースに止着自在である。
【００１４】
第４及び第５の形態は、光ファイバガイドが、ベースに止着及び／又は互いに連結される光ファイバガイド部材に設けられるので、今日使用されていると共に光ファイバネットワークにおいて将来使用されるかもしれない光ファイバキャリヤ（例えば、異なる寸法の管や異なる数のファイバを支承するリボン）の型式、寸法と数（例えば、量）の範囲に対応するために、ある範囲の（例えば、ＷＯ９５／０７４８０に開示されている型式の）ベースプレートを製造する必要がないという利点を有する。その代りに、正確なガイド部材又は異なるガイド部材の正確な混合を有する本発明にかかるキットは、各ネットワーク又はネットワークにおける各用途や用途の型式に応じて選択できる。このようにして、本発明は、高レベルのモジュール化を提供して、各ネットワーク又は用途に対して正確な個数及び／又は型式及び／又は寸法の光ファイバガイドを有するキットを可能にする。それに加えて又はその代りに、ある範囲の型式及び／又は寸法の光ファイバガイド部材をキットに設けて、設置者がキットから各特定の状況のための正確な個数、寸法及び／又は型式の光ファイバガイドを選択できるようにしてもよい。
【００１５】
キット内の光ファイバガイド部材は、プレート（又は同様の概して平坦な構造物）、例えば、サポートプレートで形成されるのが好都合である。
好ましくは、各光ファイバガイドが、入口と出口を有し、更に、使用時に１本以上の光ファイバが、入口を介してガイド内に延在すると共に、出口を介してガイドから収納トレイ内に延在し、且つ、収納トレイがガイド部材に直接的に又は間接的に止着される。好ましくは、ガイド出口が、ガイド出口から出る光ファイバをガイド部材の平面（例えば、ガイド部材がプレートで形成される実施形態では、プレートの平面）から離れるように、且つ、それが収納された収納トレイに向けて指向させる。好ましくは、収納トレイは、それがガイド部材の平面に対して３５°乃至９０°、好ましくは４０°又は４５°乃至９０°の範囲の角度で直接的に又は間接的に止着されるガイド部材から離れるように延在する（トレイは、この平面に対して３５°乃至１４５°、より好ましくは４５°乃至１３５°の角度範囲内を揺動自在であることが好ましい）。このように、ガイド出口による光ファイバの指向は、通常、ガイドとトレイの間の領域で光ファイバに印加される相当に大きい応力を避けるのを助ける。ガイドの出口は、ファイバの限界屈曲半径に少なくとも等しい最小屈曲半径で光ファイバをガイド部材の平面から離れるように指向させる坂路等を備えることが好都合である。
【００１６】
用語「入口」と「出口」をここで使用する時、それらは、一般的に、光ファイバによって運ばれる光信号の方向を指さずに、代りに、光ファイバが光ファイバガイドに挿入される正規方向と光ファイバが、ガイドを通過してガイドから出る方向を指す。普通、（通常、管や他のキャリヤ又は例えば４乃至１２本のファイバのリボンで支承される）光ファイバは、光ファイバ収納トレイに収納される前にガイド部材の光ファイバガイドに挿入及び通して案内される。
光ファイバガイドが、オーガナイザの外部と収納トレイの間を延在する光ファイバの長さの少なくとも一部を案内するとここで述べる時、これは、ファイバがリボン又は他のキャリヤ内にあり、又は、１個以上の管や他のキャリヤがオーガナイザの内部又は外部でファイバのこのような長さの上又は回りに載置される可能性を含む。
【００１７】
キットの少なくとも１個のガイド部材の各光ファイバガイドは、光ファイバの少なくとも１個のリボン（好ましくは１個だけのリボン）を案内することが好都合である。より好ましくは、使用時に光ファイバリボンが、その幅（即ち、その相対的に幅の広い寸法）がガイド部材の平面に少なくとも近似的に垂直（例えば、ガイド部材の平面に対して少なくとも６０°、好ましくは少なくとも７０°）となるように、ガイド入口内に案内されると共に、その幅がガイド部材の平面に近似的に平行（例えば、ガイド部材の平面に対して４０°以下、好ましくは３０°以下）になるように、ガイド出口から外に案内されるように、ガイド部材の平面において、ガイド出口がガイド入口よりも幅広である。ガイド入口の幅は好ましくは５ｍｍ以下、より好ましくは３ｍｍ以下、例えば約２ｍｍである。ガイド出口の幅は、好ましくは少なくとも５．５ｍｍ、より好ましくは少なくとも６ｍｍ又は７ｍｍである。
【００１８】
従って、第９の形態は、１個以上の光ファイバ収納トレイが直接的に又は間接的に止着されるプレートを備える光ファイバガイド部材において、１個以上の光ファイバリボンを収納トレイ内に案内する１個以上の光ファイバガイドを設け、又、各光ファイバガイドが、入口と出口を有し、更に、光ファイバリボンが、入口を介してガイド内に延在すると共に、出口を介してガイドから収納トレイ内に延在し、且つ、使用時に光ファイバリボンが、その幅がプレートの平面に少なくとも近似的に垂直となるように、ガイド入口内に案内されると共に、その幅がプレートの平面に少なくとも近似的に平行になるように、ガイド出口から外に案内されるように、プレートの平面において、ガイド出口がガイド入口よりも幅広である光ファイバガイド部材を提供する。
本発明のこの形態は、リボンの光ファイバへの相当に大きい応力が大略防止されるという利点を有する。これは、リボンがガイド部材の平面に大略平行な平面においてガイド内に案内されると共に、リボンの幅はこれらの平面に近似的に垂直（例えば、６０°〜９０°、好ましくは、７０°〜９０°）であるので、リボンが、ガイド内に送られるようにこの平面内で屈曲させられるからである。リボンは、ガイドの出口におけるその方位が入口での方位に近似的に又は大略垂直であるように、ガイド内で入口から出口へ徐々にねじられる。従って、リボンは、使用時に直接的に又は間接的にガイド部材に止着された収納トレイ内に送られるように屈曲され、収納トレイは、ガイド部材の平面に対して例えば、３５°〜９０°、好ましくは４５°〜９０°の角度を成す。勿論、光ファイバリボンの屈曲は個々のファイバの限界屈曲半径を考慮すべきである。
【００１９】
好ましくは、光ファイバガイド部材の各光ファイバガイドは、部材内の溝から成る。好ましくは、各ガイド部材は、その面に複数のこのような溝を有する。好ましくは、ガイドは互いに大略平行な列に配置される。好ましくは、近傍の列のガイドは反対方向に指向させられる結果、あるガイドの入口はすぐ近傍のガイドの出口と隣合い、且つ、その逆も同様である。使用時に、２個以上のガイド部材が列状に（例えば、ベースに沿って延在するように）ベースに止着及び／又は互いに連結されることが好ましい。好ましくは、ガイド部材のガイドはガイド部材の列の延在方向に大略垂直である。使用時に、光ファイバ収納トレイはガイド部材の列に沿う列に配置されることが好ましい。好ましくは、光ファイバ収納トレイは、ガイドに大略平行であると共に、ガイド部材の平面から離れるように延在する。１個以上のガイドに通して案内された光ファイバが、ガイドの出口から夫々の光ファイバ収納トレイ内に送られる。
【００２０】
本発明のいくつかの実施形態において、各ガイド部材は、複数の光ファイバ収納トレイをそれに装着する装着手段を備える。従って、このような実施形態においては、ガイド部材自身がサポート部材を備える。光ファイバ収納トレイが止着される時、その組合せが収納モジュールを形成する。
【００２１】
本発明の他の好ましい実施形態において、キットは、使用時に各光ファイバ収納トレイが直接的に止着される少なくとも１個のサポート部材を更に備え、且つ、サポート部材は光ファイバガイド部材に直接的に又は間接的に止着される。好ましくは、各光ファイバ収納トレイがサポート部材に揺動自在に止着される。好ましくは、サポート部材は、プレート又は他の概して平坦な構造物で形成される。
キットは、使用時に溝を覆って、溝からの光ファイバの側方移動を大略防止するように、少なくとも１個のガイド部材に止着される少なくとも１個のカバープレートを更に備えてもよい。カバープレートは、連続的なプレートでもよく、又、穴を含んでもよく、又は、格子等で形成されてもよい。（設けた場合の）サポート部材は、使用時に少なくとも１個のカバープレートに止着されることが好ましい。
【００２２】
従って、いくつかの実施形態に対して最も好ましくは、ガイド部材はベースに及び／又は互いに止着され、カバープレートはガイド部材に止着され、サポート部材はカバープレートに止着され、更に、光ファイバ収納トレイはサポート部材に止着される。従って、このような実施形態においては、ガイド部材、カバープレートとサポート部材は共にサポートプレートを形成する。光ファイバ収納トレイが止着される時、それは収納モジュールを形成する。止着は一般的にどんな適当な方法で行ってよい。しかしながら、好ましくは、キットの各種部品は、それらが使用時に止着される各部品とインターロック（例えば、スナップ嵌め）する。その代りに、他の締結手段、例えば、接着剤、ねじ、ナット、ボルト等を使用してもよい。
【００２３】
（発明を実施するための最良の形態）
図１は、複数の対の装着手段３を備えるモジュール型サポートプレート１を示し、装着手段３は、プレートから起立する一体成形突起で形成される。装着手段３は、収納トレイに形成されたヒンジピンを受承する孔を有する。従って、収納トレイは、使用時にサポートプレートに対してヒンジ付けされる。それ故、各トレイは、そのトレイの一方の側部上でそのトレイから離れるように全てのトレイを揺動することによってアクセスしてもよい。図１は、又、サポートプレートから突出して、トレイのヒンジピンを装着ピン３にロックする柔軟歯４を示す。
各対の装着手段３は、プレート内の側部開放溝で形成される夫々のガイド５と連係している。使用時に、光ファイバ収納トレイ７（図３参照）が特定の対の装着手段３に止着されると共に、トレイから延在する１本以上の光ファイバ又は光ファイバリボンが夫々のガイド溝５に受承される。ガイド溝５の側部が開放されているので、光ファイバは「側方導入」により、即ち、ファイバを孔に挿通する必要無しにガイド溝５に挿入される。これは、非切断（ループ状）光ファイバをトレイ、例えば、単一の回路又は単一の部材に収納することが可能になる利点を有する。
【００２４】
各ガイド溝５は、使用時にガイドとその夫々の収納トレイの間に１本以上の光ファイバ又は光ファイバリボンを案内する４個の坂路９を備える、即ち、坂路は、ファイバをサポートプレートから離れてサポートプレートに装着されたヒンジ式トレイに向けて案内する。坂路は各ガイドの相対的に幅の広い中央部１１に位置している。ガイドの各端１３において、ガイドは幅がより狭くなっていると共にサポートプレートの平面内で湾曲している。ガイドの両端において、光ファイバ又はリボンをガイド５からオーガナイザの外部に送る光ファイバ移送溝１５が、ガイドの直線状中央部に対して大略垂直に延在する。従って、光ファイバ又は光ファイバリボンは、オーガナイザの外部から（例えば、ケーブルから）一つの移送溝１５に沿って夫々のガイド５の一端１３へ延在する。ファイバ又はリボンは、ガイド５に沿ってサポートプレートの幅の一部を横切って、一方又は両方の坂路の上を、サポートプレートに装着（夫々の装着手段３への止着により装着）された収納トレイに延在してもよい。ファイバ又はリボンは、収納トレイ内で１回以上輪にして、トレイから反対側の坂路の下を同じガイド５に延在してもよい。それは、ガイドの他端からガイド５に沿って最初の坂路を過ぎて他方の移送溝１５へ、次に、オーガナイザの外部に延在する。
【００２５】
光ファイバリボンが使用される時、リボンの主要幅は、一般的に、移送溝１５及びガイド５の相対的に狭い端部１３内のサポートプレートの平面に対して大略垂直である。しかしながら、ガイドの相対的に幅の広い中央部１１では、リボンは通常９０°だけねじられて、リボンが坂路９によってトレイに向けて案内される領域では、それらの主要幅は一般的にサポートの平面に大略平行である。光ファイバリボンが一般的にそれらの主要幅に垂直である軸心の回りで屈曲されねばならないために必要となるリボンの方位変更を生じせしめたり容易にするように、ガイドの寸法が予備設定されることが好ましい。
【００２６】
図２Ａ及び図２Ｂに示されたサポートプレートは、移送溝が、光ファイバリボンの主要幅がサポートプレートの平面に大略垂直であるように方位付けられた光ファイバを送るように構成された複数の狭い溝１７から成る点を除いて、図１に示されたサポートプレートに類似している。図２Ｂにおいて、２個のサポートプレートが並置されて、より大きなサポートプレートを形成している。
【００２７】
図３は、組立てられてケーブルクロージャのベース２１に止着された、本発明にかかる光ファイバオーガナイザ１９を示す。オーガナイザ１９は、サポートフレーム２３と、複数（３個で図示）の収納モジュール２５とを備え、更に、収納モジュール２５は、それらのサポートプレート２７がより大きなサポートプレートを共に形成するように、並んでサポートフレーム２３に止着されている。
各収納モジュール２５は、複数のヒンジ式光ファイバ収納トレイ７を支持する（図１及び図２に示すサポートプレートと異なる構成の）サポートプレート２７を備える。各サポートプレートは、（スナップ嵌めにより）サポートフレーム２３とインターロックされる止着装置２９を備える。
サポートフレーム２３は２個の部品で形成され、各部品は、細長い横断部材３３によって連結される１対の離隔された細長い部品３１を備える。各々の細長い部品３１は、クロージャのベース２１に固着されている。図示のサポートフレーム２３は、複数の（例えば、金属から成る）連結管を備えるが、例えば図５に示すように、他の型式のフレームも可能である。
【００２８】
図４Ａ及び図４Ｂは、クロージャのベース２１に止着された、本発明にかかる別の組立てられた光ファイバオーガナイザ３５の略図である。このオーガナイザは、並んでサポートフレーム２３に止着された３個の異なるモジュールを備える。モジュールの内の一つは図３に示すように収納モジュール２５である。収納モジュール２３の近傍のモジュールはガイドモジュール３７であり、更に、ガイドモジュール３７は、間を光ファイバが案内される複数の湾曲壁突起３９を支持するサポートプレート２７を備える。ガイドモジュール３７の近傍のブレイクアウトモジュール４０は、複数のブレイクアウト手段４１を支持するサポートプレート２７を備える。サポートフレームに止着される近傍サポートプレート２７間に隙間があるにしても、全ての各種のモジュール部材を含むより大きなサポートプレートを形成する効果がある。
【００２９】
図５は、クロージャのベースに止着された本発明にかかる更に別のオーガナイザを示す。
【００３０】
図６は、本発明にかかる別の部品キット１０１の略図である。キットは、１個以上の光ファイバ収納トレイ７と、（プレートから成る）１個以上のサポート部材１０５と、１個以上のカバープレート１０７と、（プレートから成る）１個以上のガイド部材１０９と、（プレートから成る）１個以上のベース１１１を備える。サポート部材１０５、カバープレート１０７とガイド部材１０９は、共に、（即ち、それらが互いに連結される時）例えば、図１乃至図５に示すものと同等のサポートプレートを形成する。サポート部材、カバープレート、ガイド部材と光ファイバ収納トレイは共に収納モジュールを備える。ベースに沿う一連のガイド部材を形成するように、ガイド部材１０９をベース１１１の主面１１２に止着してもよい（図７参照）。ガイド部材１０９は、インターロック手段（不図示）又は接着剤によってベース１１１に止着されるのが好ましい。
【００３１】
キット１０１の各種の部品が図７に詳細に示されている。２個の光ファイバ収納トレイ７が図示されている。トレイ７は一般的に丸い形状をしているが、他の形状も取り得る。光ファイバは、使用時にトレイ７の主面１１３上に収納されると共に、ファイバリテーナ１１５によって所定位置に保持される。装置リテーナ１１７内で、光ファイバスプライス、スプリッタ、コネクタ又は他の装置をトレイ上に収納してもよい。トレイ７は、使用時にピボットピン１１９によってサポート部材１０５に揺動自在に止着される。これは図９により詳細に示されている。図９では、（図７に示すものとは少し異なる）一連の光ファイバ収納トレイ３が２個のサポート部材１０５に揺動自在に止着され、次に、サポート部材１０５は２個のカバープレート１０７に止着されている（サポート部材１０５とカバープレート１０７は図７に示すものと大略同じである）。ピボットピン１１９は、サポート部材１０５上の穴１２０に挿入されると共に、トレイの延長アーム１２１によって所定位置に保持される。延長アーム１２１は、サポート部材１０５上の柔軟歯１２３によって所定位置に保持される。図９に示すように、トレイ７は、サポート部材／カバープレートの（ガイド部材とベースに平行である）平面に対して４５°の角度で傾斜している。トレイは、一連の各トレイの面１１３に対するアクセスを許容するように、これらの平面に対して約４５°と約１３５°の間で揺動し得ることが好ましい。
【００３２】
図９において、サポート部材１０５は、カバープレート１０７に（好ましくはインターロックスナップ嵌めとして）止着される。カバープレート１０７は、使用時にガイド部材１０９上の対応する弾性突起１２７（図７及び図８参照）とインターロックする穴１２５を有する。カバープレート１０７は、又、上方に傾斜する開口１３１を設けた上方に傾斜する（例えば、トレイ７に向けて傾斜する）部分１２９を有する。使用時に、これらの開口１３１の各々は、ガイド部材１０９のガイド１３５の出口坂路１３３を有する（図８参照）。
【００３３】
（図８には４個のガイド１３５を含む部分が示されている）各ガイド部材１０９は、互いに大略平行な溝で形成される一連のガイド１３５を備える。あるガイド溝１３５の入口１３７がそのすぐ近傍のガイドの出口１３３に隣合い、且つ、その逆も同様であるように、一連の中の近傍のガイド溝１３５は反対方向に指向させられる。各ガイド溝１３５の出口１３３に向けて、ガイド溝はより浅くなる。出口１３３において、坂路は、使用時に、矢印Ａで示すように、ガイド部材プレート１０９の上方に止着された光ファイバ収納トレイ７に向けて、ガイド部材プレート１０９の平面から離れるように出口から延在する光ファイバを指向させる。又、各ガイド溝１３５の入口１３７から出口１３３に進む時、ガイド溝の幅（即ち、ガイド部材プレート１０９の平面内において）がより狭くなる。これは、使用時に、ガイド溝１３５に沿って延在する光ファイバリボン（不図示）を、入口１３７において、リボンの幅がガイド部材プレートの平面に大略垂直である方位から、出口１３３において、リボンの幅がガイド部材プレートの平面に大略平行である方位にねじる（回転する）効果を有する。これは、図７で矢印Ｂで示すように、即ち、ベース１１１に沿って垂直方向に、（即ち、その相対的に幅の広い寸法がベースプレート１１１に大略垂直であるように）、オーガナイザに入る光ファイバリボンが、ベースプレート１１１に止着されたガイド部材１０９のガイド溝１３５内に屈曲させられると共に、ガイド溝３５を出る時、それは、ベースプレートに対して約４５°と９０°の間の角度を成すトレイ７内に送られるように屈曲されるという利点を有する。
【００３４】
図１０は本発明にかかるクロージャ１３９を示す。クロージャ１３９は、２分割ケーシング（底部１４１と頂部又はドーム部１４３）と本発明にかかる光ファイバオーガナイザ１０１を備える。クロージャは、ケーシングの底部１４１に装着される（明確さのためにトレイや他の付属品無しに図示された）２個のベース１１１を備える。ベース１１１の部品１４５は、光ファイバの移送及び管理装置を含む。底部１４１はケーブル導入ポート１４７を備える。ドーム部１４３は、クランプリング（不図示）によって底部１４１に止着してもよく、又、クロージャは、底部１４１とドーム部１４３の間のＯリングによって封止されることが好ましい。
【図面の簡単な説明】
【図１】図１Ａ乃至図１Ｃは、ヒンジ式光ファイバ収納トレイ用モジュール型サポートプレートを示す。
【図２】図２Ａと図２Ｂは、別のヒンジ式光ファイバ収納トレイ用モジュール型サポートプレートを示す。
【図３】ケーブルクロージャのベースに止着された本発明にかかる組立てられた光ファイバオーガナイザを示す。
【図４】図４Ａと図４Ｂは、ケーブルクロージャのベースに止着された本発明にかかる別の組立てられた光ファイバオーガナイザを概略的に示す。
【図５】ケーブルクロージャのベースに止着された本発明にかかる更に別の組立てられた光ファイバオーガナイザを示す。
【図６】本発明にかかる別のキットの主要部品の略図である。
【図７】図６に示す部品の斜視図である。
【図８】本発明にかかるキットのガイド部材の詳細図である。
【図９】本発明にかかるキットのサポートプレートとカバープレートに止着された一連の光ファイバ収納トレイの図である。
【図１０】本発明にかかるクロージャの図である。
【符号の説明】
１  サポートプレート
７  光ファイバ収納トレイ
１９  光ファイバオーガナイザ
２１  ベース
２３  サポートフレーム
２５  収納モジュール
２７  サポートプレート
２９  止着装置
３５  光ファイバオーガナイザ
１３９  クロージャ
１４１  底部
１４３  ドーム部
【図１Ａ】
0004099232.tif 000002
【図１Ｂ】
0004099232.tif 000003
【図１Ｃ】
0004099232.tif 000004
【図２Ａ】
0004099232.tif 000005
【図２Ｂ】
0004099232.tif 000006
【図３】
0004099232.tif 000007
【図４Ａ】
0004099232.tif 000008
【図４Ｂ】
0004099232.tif 000009
【図５】
0004099232.tif 000010
【図６】
0004099232.tif 000011
【図７】
0004099232.tif 000012
【図８Ａ】
0004099232.tif 000013
【図８Ｂ】
0004099232.tif 000014
【図９】
0004099232.tif 000015
【図１０】
0004099232.tif 000016